【手続補正書】
【提出日】平成20年1月23日(2008.1.23)
【手続補正１】
【補正対象書類名】明細書
【補正対象項目名】特許請求の範囲
【補正方法】変更
【補正の内容】
【特許請求の範囲】
【請求項１】
分散型データ送達ネットワークにおいてデータリクエストを処理するシステムであって、
該システムは、
データリソースリクエスト変更子と、
データ送達デバイスと
を備えており、
該データリソースリクエスト変更子は、該ネットワークからユーザがデータをリクエストすることによって発せられたデータリソースリクエストが該ネットワーク内で接触した第１のデータサーバによって進められる前に、該データリソースリクエストを傍受および変更することにより、変更されたデータリソースリクエストを生成するように適合されており、
該データ送達デバイスは、該変更されたデータリソースリクエストに基づいて、該分散型データ送達ネットワーク内のデータサーバから該ユーザへの該リクエストされたデータのルーティングおよび送達を制御するように適合されており、
該リクエストされたデータは、該データサーバから該ユーザへの該リクエストされたデータの送達を介して変更されないままである、システム。
【請求項２】
前記データリソースリクエストは、データリソースリクエストメタファイルを含み、
前記データリソースリクエスト変更子は、該データリソースリクエストメタファイルを変更することにより、該変更されたデータリソースリクエストに含まれる変更されたデータリソースリクエストメタファイルを生成するように適合されており、
前記データ送達デバイスは、該変更されたデータリソースリクエストメタファイルに基づいて前記データサーバからの前記リクエストされたデータのルーティングを制御するように適合されている、請求項１に記載のシステム。
【請求項３】
前記データ送達デバイスは、前記変更されたデータリソースリクエストに基づいて前記ユーザに応答を発することにより、該ユーザが前記データサーバから該リクエストされたデータを受信することを可能にする、請求項１に記載のシステム。
【請求項４】
前記変更されたデータリソースリクエストは、データサーバであって、当該データサーバから前記リクエストされたデータが前記ユーザに提供される、データサーバとして、前記データサーバを識別するデータを含む、請求項１に記載のシステム。
【請求項５】
前記変更されたデータリソースリクエスト内の前記データによって識別される前記データサーバは、変更前の前記データリソースリクエスト内のデータによって識別されるデータサーバとは異なる、請求項４に記載のシステム。
【請求項６】
分散型データ送達ネットワークからデータをリクエストするユーザからのデータリクエストに対する応答を処理するシステムであって、
該システムは、
データ応答変更子と、
データ送達デバイスと
を備えており、
該データ応答変更子は、該ネットワーク内のデータサーバによって発せられたデータ応答を傍受および変更することにより、変更されたデータ応答を、該リクエストされたデータが該ユーザに届く前に生成するように適合されており、該変更されたデータ応答は、該ネットワーク内の代替サーバからの該リクエストされたデータの送達をアクティベートし、該リクエストされたデータは、該代替サーバから該ユーザへの送達を介して変更されないままであり、
該データ送達デバイスは、該変更されたデータ応答に基づいて、該分散型データ送達ネットワーク内の該代替データサーバから該ユーザへの該リクエストされたデータのルーティングを制御するように適合されている、システム。
【請求項７】
前記データ応答は、データ応答メタファイルを含み、
前記データ応答変更子は、該データ応答メタファイルを変更することにより、該変更されたデータ応答に含まれる変更されたデータ応答メタファイルを生成するように適合されており、
前記データ送達デバイスは、該変更されたデータ応答メタファイルに基づいて前記データサーバからの前記リクエストされたデータのルーティングを制御するように適合されている、請求項６に記載のシステム。
【請求項８】
前記データ送達デバイスは、前記変更されたデータ応答を発することにより、前記ユーザが前記代替データサーバから前記リクエストされたデータを受信することを可能にする、請求項６に記載のシステム。
【請求項９】
前記変更されたデータ応答は、データサーバであって、当該データサーバから前記リクエストされたデータが前記ユーザに提供される、データサーバとして、前記代替データサーバを識別するデータを含む、請求項６に記載のシステム。
【請求項１０】
前記変更されたデータ応答内の前記データによって識別される前記代替データサーバは、変更前の前記データ応答内のデータによって識別されるデータサーバとは異なる、請求項９に記載のシステム。
【請求項１１】
分散型データ送達ネットワークにおいてデータリクエストを処理する方法であって、
該方法は、
該ネットワークからユーザがデータをリクエストすることによって発せされたデータリソースリクエストが該ネットワーク内で接触した第１のデータサーバによって進められる前に、該データリソースリクエストを傍受および変更することにより、変更されたデータリソースリクエストを生成することと、
該変更されたデータリソースリクエストに基づいて、該分散型データ送達ネットワーク内のデータサーバから該ユーザへの該リクエストされたデータのルーティングを制御することであって、該リクエストされたデータは、該データサーバから該ユーザへの該リクエストされたデータの送達を介して変更されないままである、ことと
を包含する、方法。
【請求項１２】
前記データリソースリクエストは、データリソースリクエストメタファイルを含み、
前記データリソースリクエストを変更するステップは、該データリソースリクエストメタファイルを変更することにより、該変更されたデータリソースリクエストに含まれる変更されたデータリソースリクエストメタファイルを生成することを包含し、
前記制御するステップは、該変更されたデータリソースリクエストメタファイルに基づいて前記データサーバからの前記リクエストされたデータのルーティングを制御することを包含する、請求項１１に記載の方法。
【請求項１３】
前記変更されたデータリソースリクエストに基づいて前記ユーザに応答を発することにより、該ユーザが前記データサーバから該リクエストされたデータを受信することを可能にすることをさらに包含する、請求項１１に記載の方法。
【請求項１４】
前記変更されたデータリソースリクエストは、データサーバであって、当該データサーバから前記リクエストされたデータが前記ユーザに提供される、データサーバとして、前記データサーバを識別するデータを含む、請求項１１に記載の方法。
【請求項１５】
前記変更されたデータリソースリクエスト内の前記データによって識別される前記データサーバは、変更前の前記データリソースリクエスト内のデータによって識別されるデータサーバとは異なる、請求項１４に記載の方法。
【請求項１６】
分散型データ送達ネットワークにおけるデータリクエストに対する応答を処理する方法であって、
該方法は、
該ネットワークからデータをリクエストするユーザによって発せられたデータリソースリクエストに応答して、該ネットワーク内のデータサーバによって発せられたデータ応答を傍受および変更することにより、変更されたデータ応答を、該応答が該ユーザに届く前に生成することであって、該変更されたデータ応答は、該ネットワーク内の代替サーバからの該データ応答の送達をアクティベートし、該リクエストされたデータは、該代替サーバから該ユーザへの送達を介して変更されないままである、ことと、
該変更されたデータ応答に基づいて、該分散型データ送達ネットワーク内の該代替データサーバから該ユーザへの該リクエストされたデータのルーティングを制御することと
を包含する、方法。
【請求項１７】
前記データ応答は、データ応答メタファイルを含み、
前記データ応答を変更するステップは、該データ応答メタファイルを変更することにより、該変更されたデータ応答に含まれる変更されたデータ応答メタファイルを生成することを包含し、
前記制御するステップは、該変更されたデータ応答メタファイルに基づいて前記代替データサーバからの前記リクエストされたデータのルーティングを制御することを包含する、請求項１６に記載の方法。
【請求項１８】
前記変更されたデータ応答を発することにより、前記ユーザが前記代替データサーバから前記リクエストされたデータを受信することを可能にすることをさらに包含する、請求項１６に記載の方法。
【請求項１９】
前記変更されたデータ応答は、データサーバであって、当該データサーバから前記リクエストされたデータが前記ユーザに提供される、データサーバとして、前記代替データサーバを識別するデータを含む、請求項１６に記載の方法。
【請求項２０】
前記変更されたデータ応答内の前記データによって識別される前記代替データサーバは、変更前の前記データ応答内のデータによって識別されるデータサーバとは異なる、請求項１９に記載の方法。